【手続補正書】
【提出日】平成27年8月26日(2015.8.26)
【手続補正１】
【補正対象書類名】特許請求の範囲
【補正対象項目名】全文
【補正方法】変更
【補正の内容】
【特許請求の範囲】
【請求項１】
１つまたは複数のコンピューティングシステムによって、
前記１つまたは複数のコンピューティングシステムが第１の状態にある間、複数の第１のセンサからの第１の入力のセットを検出し、
第１のセンサ値アレイ内の複数のセンサ値の各々が前記第１の入力のセットのうちの１つに対応するものである、前記第１のセンサ値アレイを生成し、
前記第１のセンサ値アレイを、第１のニューラルネットワークによって生成された第１の関数に入力として給送し、
前記第１の関数に少なくとも部分的に基づいて、１つまたは複数の第１の出力値を計算し、
前記１つまたは複数の第１の出力値に少なくとも部分的に基づいて、第１の動作が発生したかどうかを判断し、
前記第１の動作が発生したという判断に応答して、
第２のセンサ入力のセットに関する１つまたは複数の第２のセンサをポーリングし、
複数のセンサ値からなる第２のセンサ値セットを含む第２のセンサ値アレイであって、前記第２のセンサ値セットの各センサ値が前記第２のセンサ入力のセットのうちの１つに対応するものである、前記第２のセンサ値セットを含む第２のセンサ値アレイを生成し、
前記第２のセンサ値アレイを、第２のニューラルネットワークによって生成された第２の関数に入力として給送し、
前記第２の関数に少なくとも部分的に基づいて、１つまたは複数の第２の出力値を計算し、
前記第２の関数によって戻された前記１つまたは複数の第２の出力値に少なくとも部分的に基づいて、前記第１の状態を終了すること
を備える方法。
【請求項２】
前記１つまたは複数の第１の出力値が低電力マイクロコントローラによって計算され、前記第１の動作が発生したという判断に応答して、前記マイクロコントローラが、前記１つまたは複数の第２の出力値を計算するために、プロセッサをスリープモードから起動させる、請求項１に記載の方法。
【請求項３】
前記複数の第１のセンサが複数のタッチセンサを備える、請求項１に記載の方法。
【請求項４】
前記タッチセンサが容量式である、請求項３に記載の方法。
【請求項５】
前記１つまたは複数の第２のセンサが、
加速度計、
光センサ、または
マルチタッチディスプレイ表面
を備える請求項１に記載の方法。
【請求項６】
前記第１の状態はロック状態である、請求項１に記載の方法。
【請求項７】
前記第１の動作は手に取る動作である、請求項１に記載の方法。
【請求項８】
前記第１の関数および前記第２の関数はサーバから受信される、請求項１に記載の方法。
【請求項９】
１つまたは複数のコンピューティングシステム内の１つまたは複数の非一時的なコンピュータ可読記憶媒体であって、実行されたときに、
前記１つまたは複数のコンピューティングシステムが第１の状態にある間、複数の第１のセンサからの第１の入力のセットを検出し、
第１のセンサ値アレイ内の複数のセンサ値の各々が前記第１の入力のセットのうちの１つに対応するものである、前記第１のセンサ値アレイを生成し、
前記第１のセンサ値アレイを、第１のニューラルネットワークによって生成された第１の関数に入力として給送し、
前記第１の関数に少なくとも部分的に基づいて、１つまたは複数の第１の出力値を計算し、
前記１つまたは複数の第１の出力値に少なくとも部分的に基づいて、第１の動作が発生したかどうかを判断し、
前記第１の動作が発生したという判断に応答して、
第２のセンサ入力のセットに関する１つまたは複数の第２のセンサをポーリングし、
複数のセンサ値からなる第２のセンサ値セットを含む第２のセンサ値アレイであって、前記第２のセンサ値セットの各センサ値が前記第２のセンサ入力のセットのうちの１つに対応するものである、前記第２のセンサ値セットを含む第２のセンサ値アレイを生成し、
前記第２のセンサ値アレイを、第２のニューラルネットワークによって生成された第２の関数に入力として給送し、
前記第２の関数に少なくとも部分的に基づいて、１つまたは複数の第２の出力値を計算し、
前記第２の関数によって戻された前記１つまたは複数の第２の出力値に少なくとも部分的に基づいて、前記第１の状態を終了する
ように動作可能なロジックを実施するものである、記憶媒体。
【請求項１０】
前記１つまたは複数の第１の出力値が低電力マイクロコントローラによって計算され、前記第１の動作が発生したという判断に応答して、前記マイクロコントローラが、前記１つまたは複数の第２の出力値を計算するために、プロセッサをスリープモードから起動させる、
請求項９に記載の記憶媒体。
【請求項１１】
前記複数の第１のセンサが複数の容量式タッチセンサを備える、請求項９に記載の記憶媒体。
【請求項１２】
前記１つまたは複数の第２のセンサが、
加速度計、
光センサ、または
マルチタッチディスプレイ表面
を備える、請求項９に記載の記憶媒体。
【請求項１３】
前記第１の状態はロック状態である、請求項９に記載の記憶媒体。
【請求項１４】
前記第１の動作は手に取る動作である、請求項９に記載の記憶媒体。
【請求項１５】
前記第１の関数および前記第２の関数はサーバから受信される、請求項９に記載の記憶媒体。
【請求項１６】
プロセッサと、複数の第１のセンサと、１つまたは複数の第２のセンサと、前記プロセッサに接続されて前記プロセッサによって実行可能な指令を備えるメモリと、を備える装置であって、前記プロセッサが、前記指令を実行したときに、
前記装置が第１の状態にある間、複数の第１のセンサからの第１の入力のセットを検出し、
第１のセンサ値アレイ内の複数のセンサ値の各々が前記第１の入力のセットのうちの１つに対応するものである、前記第１のセンサ値アレイを生成し、
前記第１のセンサ値アレイを、第１のニューラルネットワークによって生成された第１の関数に入力として給送し、
前記第１の関数に少なくとも部分的に基づいて、１つまたは複数の第１の出力値を計算し、
前記１つまたは複数の第１の出力値に少なくとも部分的に基づいて、第１の動作が発生したかどうかを判断し、
前記第１の動作が発生したという判断に応答して、
第２のセンサ入力のセットに関する１つまたは複数の前記第２のセンサをポーリングし、
複数のセンサ値からなる第２のセンサ値セットを含む第２のセンサ値アレイであって、前記第２のセンサ値セットの各センサ値が前記第２のセンサ入力のセットのうちの１つに対応するものである、前記第２のセンサ値セットを含む第２のセンサ値アレイを生成し、
前記第２のセンサ値アレイを、第２のニューラルネットワークによって生成された第２の関数に入力として給送し、
前記第２の関数に少なくとも部分的に基づいて、１つまたは複数の第２の出力値を計算し、
前記第２の関数によって戻された前記１つまたは複数の第２の出力値に少なくとも部分的に基づいて、前記第１の状態を終了するように動作可能である
ことを特徴とする装置。
【請求項１７】
低電力マイクロコントローラを更に備え、前記１つまたは複数の第１の出力値は前記低電力マイクロコントローラによって計算されたものであり、前記第１の動作が発生したという判断に応答して、前記マイクロコントローラが、前記１つまたは複数の第２の出力値を計算するために、前記プロセッサをスリープモードから起動させる、請求項１６に記載の装置。
【請求項１８】
前記複数の第１のセンサが複数のタッチセンサを備える、請求項１６に記載の装置。
【請求項１９】
前記複数のタッチセンサが容量式である、請求項１６に記載の装置。
【請求項２０】
前記１つまたは複数の第２のセンサが、
加速度計、
光センサ、または
マルチタッチディスプレイ表面
を備える請求項１６に記載の装置。
【請求項２１】
前記第１の状態はロック状態である、請求項１６に記載の装置。
【請求項２２】
前記第１の動作は手に取る動作である、請求項１６に記載の装置。
【請求項２３】
前記第１の関数および前記第２の関数はサーバから受信される、請求項１６に記載の装置。
【手続補正２】
【補正対象書類名】明細書
【補正対象項目名】発明の名称
【補正方法】変更
【補正の内容】
【発明の名称】ユーザの意図および／または識別情報に基づくモバイルデバイス状態の調整のための方法、記憶媒体、及び装置